(57)【要約】【課題】光を利用した多種多様な加飾が得られるようにして、特徴的で固有の雰囲気を醸し出させる美的もしくは斬新で新奇な装飾効果を生じさせることができる収納ケースを提供する。【解決手段】ケース本体３を開閉する蓋体６の裏面６ａに光源装置７を設けた収納ケース１において、蓋体に部分的に、光源装置の光を蓋体の裏面から表面６ｂへ向かって透過させる光透過部２５が形成されている。蓋体の裏面には、鏡板１９と鏡板の周囲に光を透過させるカバー１７とが設けられる。光透過部は、透明もしくは半透明な素材で形成された蓋体に部分的に遮光性マスク２８が設けられることによって形成される。光源装置は、ＲＧＢ光源２２と、光源の発光をコントロールするコントローラを実装した電子基板２３と、これら電子基板および光源に電力を供給するバッテリ２４とからなる。【選択図】          図２
2004338746.tif 000002
【特許請求の範囲】
【請求項１】
ケース本体を開閉する蓋体の裏面に光源装置を設けた収納ケースにおいて、上記蓋体に部分的に、上記光源装置の光を該蓋体の裏面から表面へ向かって透過させる光透過部が形成されていることを特徴とする収納ケース。
【請求項２】
前記蓋体の裏面には、鏡板と、該鏡板の周囲に前記光源装置からの光を透過させるカバーとが設けられることを特徴とする請求項１に記載の収納ケース。
【請求項３】
前記光透過部は、透明もしくは半透明な素材で形成された前記蓋体に部分的に遮光性マスクが設けられることによって形成されることを特徴とする請求項１または２に記載の収納ケース。
【請求項４】
前記光源装置は、光源と、該光源の発光をコントロールするコントローラと、これらコントローラおよび光源に電力を供給するバッテリとからなることを特徴とする請求項１〜３いずれかの項に記載の収納ケース。
【発明の詳細な説明】
【０００１】
【発明の属する技術分野】
本発明は、光を利用した多種多様な加飾が得られるようにして、特徴的で固有の雰囲気を醸し出させる美的もしくは斬新で新奇な装飾効果を生じさせることができる収納ケースに関する。
【０００２】
【従来の技術】
一般に、各種の容器では、そのデザイン性を高めるために、従来からさまざまな方法によって加飾が施されている。例えば、塗装などにより着色したり、スパッタリングなどによって表面処理を行ったり、プレート材や転写シートを用いて平面的あるいは立体的に文字や模様などを施したり、模様などを付した上に透明・半透明の層を重ねたり、写真などのシート材を挿入する部分を備えるなどして、容器の表面に装飾を施すようにしていた（例えば、特許文献１〜８参照）。
【０００３】
他方、光源を備えた容器として、特許文献９に開示されたものが知られている。しかしながら、この「光源を有する携帯用容器」は、照明という観点のみに着目したものであって、光源によって容器にもたらすことが可能な多様な演出効果を有効かつ十分に利用することができていない。詳細には、光源と鏡との関係において、光源は鏡とは別の位置に設けられ、光源は顔などを照らし出すだけであり、また鏡は照らし出された顔を映し出すだけであって、それらの機能を個々に利用しているにすぎなかった。
【０００４】
なお、本願出願人は、関連する先行出願として、特願２００２−２２１１８９号および特願２００３−１１６２８９号を出願している。
【０００５】
【特許文献１】
特開昭５４−８３９６１号公報
【特許文献２】
実開昭５８−１７９０１２号公報
【特許文献３】
実開昭５８−１７９０１３号公報
【特許文献４】
実開昭５８−１７９０１４号公報
【特許文献５】
実開昭５９−１３１０号公報
【特許文献６】
実開昭５９−４５０１７号公報
【特許文献７】
特公平１−３７２４８号公報
【特許文献８】
特開平７−８８８９０号公報
【特許文献９】
特開平１１−１０２６０１号公報
【０００６】
【発明が解決しようとする課題】
上記従来の技術で得られる加飾はいずれも、既にありきたりなものであり、装飾を施すという技術面から見ると、限界があった。
【０００７】
ここに本発明者は、上述したようなこれまでの加飾技術では考えられていなかった、光源からの光を利用することに着目し、光によって加飾を行うことによって、収納ケースに、今まで見たことのない美的装飾効果を与え得るとの知見を得て、本発明を完成するに至ったものである。
【０００８】
本発明は上記従来の課題に鑑みて創案されたものであって、光を利用した多種多様な加飾が得られるようにして、特徴的で固有の雰囲気を醸し出させる美的もしくは斬新で新奇な装飾効果を生じさせることができる収納ケースを提供することを目的とする。
【０００９】
【課題を解決するための手段】
本発明にかかる収納ケースは、ケース本体を開閉する蓋体の裏面に光源装置を設けた収納ケースにおいて、上記蓋体に部分的に、上記光源装置の光を該蓋体の裏面から表面へ向かって透過させる光透過部が形成されていることを特徴とする。
【００１０】
蓋体に部分的に形成した光透過部から光源装置の光を透過させて、蓋体の裏面から表面へ照射するようにしていて、光透過部によって蓋体の表面に、光を利用した多種多様な加飾を得ることが可能になり、収納ケースに、特徴的で固有の雰囲気を醸し出させる美的もしくは斬新で新奇な装飾効果を生じさせ得る。
【００１１】
また、前記蓋体の裏面には、鏡板と、該鏡板の周囲に前記光源装置からの光を透過させるカバーとが設けられることを特徴とする。ケース本体を開いて蓋体の裏面側を露出させると、鏡板の周囲は、カバーを透過する光源装置からの光によって照らし出され、これら光と鏡板の組み合わせの相乗効果で、収納ケースに光を利用した演出効果を得ることが可能になる。
【００１２】
また、前記光透過部は、透明もしくは半透明な素材で形成された前記蓋体に部分的に遮光性マスクが設けられることによって形成されることを特徴とする。遮光性マスクによって、透明もしくは半透明の蓋体に部分的に光透過部を形成するようにしていて、光を利用した多種多様な加飾を簡単に得ることが可能であり、特徴的で固有の雰囲気を醸し出させる美的もしくは斬新で新奇な装飾効果を容易に生じさせ得る。
【００１３】
さらに、前記光源装置は、光源と、該光源の発光をコントロールするコントローラと、これらコントローラおよび光源に電力を供給するバッテリとからなることを特徴とする。コントローラで光源の発光をコントロールするようにしていて、これにより視覚的に訴える、光による多種多様な演出効果が得られ、収納ケースに、特徴的で固有の雰囲気を醸し出させる美的もしくは斬新で新奇な装飾を施すことが可能となる。
【００１４】
【発明の実施の形態】
以下に、本発明にかかる収納ケースの好適な一実施形態を、添付図面を参照して詳細に説明する。本実施形態にかかる収納ケース１は図１〜図３に示すように、各種の収納物を収納する収納空間２が形成されたケース本体３と、ケース本体３の一端にヒンジ４を介して回動自在に連結されてケース本体３を開閉するとともに、ケース本体３の他端にフック手段５を介して係脱自在に係合されて当該ケース本体３を閉止状態に維持する蓋体６と、蓋体６の裏面に設けられた光源装置７とから主に構成される。
【００１５】
フック手段５は、ケース本体３に形成された凹所８内にスライド自在に設けられたプッシュピース９と、プッシュピース９に形成されたフック用突起１０と、蓋体６に形成されてフック用突起１０に係脱自在に係合されるフック部１１とから構成され、プッシュピース９がケース本体３内方へ押し込まれることにより、フック用突起１０がフック部１１から離脱されて、蓋体６を開くことができるようになっている。またヒンジ４は、フック手段５とは反対側においてケース本体３に形成されたヒンジ凹所１２に、蓋体６から垂下させたヒンジブロック１３が挿入され、ケース本体３からヒンジブロック１３にわたってヒンジピン１４が挿入されることで構成される。
【００１６】
図示例にあっては、収納ケース１として、収納空間２に、化粧料やパフが収納される携帯用の化粧料容器が例示されている。しかしながら、収納ケース１としては、このような化粧料容器に限らず、宝石や装身具など、いかなる収納物を収納するものであっても良いことはもちろんである。
【００１７】
蓋体６について説明すると、蓋体６の周縁部には、ケース本体３側へ向かって垂下させて外周壁１５が形成され、これにより蓋体６の裏面６ａには、外周壁１５で取り囲んで組み付け用の凹部１６が区画形成される。この組み付け用凹部１６には、これを覆って封鎖するカバー１７が図示しない係脱機構によって着脱自在に設けられる。そして、蓋体６の裏面６ａと向かい合う当該カバー１７の裏面１７ａに、光源装置７が取り付けられる。
【００１８】
カバー１７は本実施形態にあっては、光源装置７からの光がこれを透過して外部に照射されるように、無色もしくは有色の、透明あるいは半透明の合成樹脂材によって形成される。カバー１７の素材はこの他、ガラスなどであってもよい。このカバー１７の表面１７ｂには、蓋体６の外周壁１５の内周寸法よりも小さな外形寸法で凹所１８が形成され、この凹所１８には、外周壁１５との間に隙間を隔てて鏡板１９が取り付けられる。従って、鏡板１９の周囲は、組み付け用凹部１６内に照射されてカバー１７を透過する光源装置７からの光によって照らし出されるようになっている。
【００１９】
他方、カバー１７の裏面１７ａには、鏡板１９で隠蔽される位置に環状リブ２０が形成され、光源装置７はこの環状リブ２０で取り囲まれた窪み部２１に配置される。光源装置７は、蓋体６の裏面６ａに向けて配置されるＲＧＢ光源２２と、このＲＧＢ光源２２の各色の発光量をコントロールするコントローラを構成する電子部品が実装された電子基板２３と、これら電子基板２３およびこれを介してＲＧＢ光源２２に電力を供給するボタン型電池などのバッテリ２４とから構成される。ＲＧＢ光源２２は電子基板２３上に直接実装されている。
【００２０】
ＲＧＢ光源２２としては、ＬＥＤや有機エレクトロルミネセンス（ＥＬ）素子など、従来知られている各種のものを採用することができる。コントローラを構成する電子部品には、ＲＧＢ光源２２の発光をコントロールするプログラミングが書き込まれたＩＣチップ等の制御素子が含まれ、図示しないスイッチによってバッテリ２４から電力が供給されることにより、プログラミングに従ってＲＧＢ光源２２を発光させる。
【００２１】
ＲＧＢ光源２２の発光のさせ方としては、例えば全体の発光量を増減させてゆっくりと明滅させながら、この明滅の間に、赤、緑および青の発光割合を順次変化させてさまざまな色合いで発光させたり、あるいは短い時間間隔で明滅させながらそのたびにさまざまな色に変えて発色させるなど、どのようなプログラミングを制御素子に格納してもよい。光源としては、ＲＧＢ光源２２に限らず、単色光の光源であってもよいことはもちろんである。
【００２２】
そして特に本実施形態にあっては、蓋体６は、そのおおよそ全体が遮光性の合成樹脂材で形成される一方で、部分的に蓋体６の裏面６ａから表面６ｂに向かってＲＧＢ光源２２の光を透過させる光透過部２５が形成される。この光透過部は本実施形態にあっては、無色もしくは有色の、透明あるいは半透明の合成樹脂材やガラス材、クリスタル材などの透光性を示す透光部材２６で形成される。
【００２３】
この透光部材２６は例えば、合成樹脂製の蓋体６を射出成形する際に、あらかじめこれを成形型内に取り付けておき、射出される樹脂と一体化するインサート成形などの方法で蓋体６に設けられる。特にこの透光部材２６は、文字やマークなどのほか、所望のデザインに従ってさまざまな形態で形成することが可能であり、これを射出成形などによって蓋体６に一体に取り付けることにより、蓋体６に任意形状の光透過部２５が形成される。
【００２４】
次に、上記構成を備える本実施形態の収納ケース１の作用について説明する。図示しないスイッチを入れると、バッテリ２４からＲＧＢ光源２２や電子基板２３に電力が供給され、ＲＧＢ光源２２は、制御素子に書き込まれたプログラミングに従って、明滅などしながら多種多様な色合いや明るさで発光する。このＲＧＢ光源２２の光は、蓋体６の光透過部２５を介して外部へ照射され、蓋体表面６ｂに光透過部２５で表されている文字やマーク、模様などを様々な態様で照らし出す。また、蓋体６を開いている場合には、カバー１７を透過するＲＧＢ光源２２の光によって、鏡板１９の周囲も様々な態様で照らし出される。スイッチを切ると、ＲＧＢ光源２２は消灯される。
【００２５】
このように以上説明した本実施形態にかかる収納ケース１にあっては、蓋体６に部分的に形成した光透過部２５からＲＧＢ光源２２の光を透過させて、蓋体６の裏面６ａから表面６ｂへ照射するようにしたので、光透過部２５によって蓋体６の表面６ｂに、光を利用した多種多様な加飾を得ることができ、収納ケース１に、特徴的で固有の雰囲気を醸し出させる美的もしくは斬新で新奇な装飾効果を生じさせることができる。
【００２６】
また、蓋体６の裏面６ａに、鏡板１９と、鏡板１９の周囲にＲＧＢ光源２２の光を透過させるカバー１７とを設けたので、図３に示すようにケース本体３を開いて蓋体６の裏面６ａ側を露出させると、鏡板１９の周囲は、カバー１７を透過する光源装置７からの光によって照らし出され、これら光と鏡板１９の組み合わせの相乗効果で、収納ケース１に光を利用した演出効果を得ることができる。
【００２７】
さらに、光源装置７を、ＲＧＢ光源２２と、ＲＧＢ光源２２の発光をコントロールするコントローラを搭載した電子基板２３と、これら電子基板２３およびＲＧＢ光源２２に電力を供給するバッテリ２４とから構成し、コントローラでＲＧＢ光源２２の発光をコントロールするようにしたので、これにより視覚的に訴える、光による多種多様な演出効果を得ることができ、収納ケース１に、特徴的で固有の雰囲気を醸し出させる美的もしくは斬新で新奇な装飾を施すことができる。
【００２８】
図４および図５には、光透過部２５が形成される蓋体６の変形例が示されている。図４および図５では、いずれにあっても、蓋体６は無色もしくは有色の、透明あるいは半透明の透光性を有する合成樹脂材で形成される。そして図４にあっては、部分的に打ち抜き部２７などが形成された不透明のシート材や樹脂成形部品などの遮光性マスク２８を、蓋体６の表面６ｂにインサート成形によって一体的に設け、当該遮光性マスク２８の打ち抜き部２７によって蓋体６に光透過部２５を形成するようにしたものである。他方、図５にあっては、蓋体６の裏面６ａに、不透明塗料を塗装することで遮光性マスク２８を形成する一方で、一部塗装をしない部分２９を設定し、この塗装をしない部分２９を利用して蓋体６に光透過部２５を形成するようにしたものである。
【００２９】
これら変形例にあっても、上記実施形態と同様の作用・効果を奏することはもちろんである。特に、これら変形例にあっては、蓋体６に光透過部２５を形成する際、蓋体６全体をそもそも透明などの透光性をもって形成するとともに、シート材などの遮光性マスク２８を用意し、これを単に蓋体６に付着させるだけで光透過部２５を形成することが可能で、光を利用した多種多様な加飾を簡単に施すことができ、特徴的で固有の雰囲気を醸し出させる美的もしくは斬新で新奇な装飾効果を容易に生じさせることができる。
【００３０】
なお、蓋体６への遮光性マスク２８の形成については、デザインに従って打ち抜いた金属板の装着や、スパッタリングなどの方法によってもよいことはもちろんである。
【００３１】
【発明の効果】
以上要するに、本発明にかかる収納ケースにあっては、光を利用した多種多様な加飾を得ることができ、特徴的で固有の雰囲気を醸し出させる美的もしくは斬新で新奇な装飾効果を生じさせることができる。
【図面の簡単な説明】
【図１】本発明にかかる収納ケースの好適な一実施形態を示す、蓋体を閉じた状態の斜視図である。
【図２】図１の収納ケースの側断面図である。
【図３】図１の収納ケースの蓋体を開いた状態の斜視図である。
【図４】本発明にかかる収納ケースの変形例を示す側断面図である。
【図５】本発明にかかる収納ケースの他の変形例を示す側断面図である。
【符号の説明】
１  収納ケース                      ３  ケース本体
６  蓋体                            ６ａ  蓋体の裏面
６ｂ  蓋体の表面                    ７  光源装置
１７  カバー                        １９  鏡板
２２  ＲＧＢ光源                    ２３  電子基板
２４  バッテリ                      ２５  光透過部
２８  遮光性マスク
【図１】
2004338746.tif 000003
【図２】
2004338746.tif 000004
【図３】
2004338746.tif 000005
【図４】
2004338746.tif 000006
【図５】
2004338746.tif 000007